(57)【要約】【課題】表示された画像を見ながら、ユーザの所望とする画像の指定した部分の色や詳細部を正しく再現することのできるカメラシステムを提供することである。【解決手段】撮影部６により撮影された画像が画像メモリ２に記憶される。この画像メモリ２に記憶された撮影画像が、表示制御部３を介して表示部４により投影面に表示される。制御部１では、上記表示部４の投影状態の検出結果に従って、プリンタ８に印刷される撮影画像の画像補正が行われる。【選択図】      図１
2005184302.tif 000002
【特許請求の範囲】
【請求項１】
撮影画像を記憶するメモリと、
上記メモリに記憶された撮影画像を表示する投影式の表示手段と、
上記表示手段の投影状態の検出結果に従って、上記撮影画像印刷時の画像補正を行う補正手段と、
を具備することを特徴とするカメラシステム。
【請求項２】
上記表示手段の投影状態は、投影面までの距離であることを特徴とする請求項１に記載のカメラシステム。
【請求項３】
上記投影面までの距離に従って、上記画像印刷時の画面のサイズ及び印刷時のレイアウト状態の少なくとも一方を切り替え制御する制御手段を更に具備することを特徴とする請求項２に記載のカメラシステム。
【請求項４】
撮影画像を投影面に表示する投影式の表示手段と、
上記表示手段の投影状態に基づいて、上記撮影画像の印刷時の画像補正を行う補正手段と、
を具備することを特徴とするカメラシステム。
【請求項５】
上記表示手段の投影状態は、上記投影面までの距離に従って変化することを特徴とする請求項４に記載のカメラシステム。
【請求項６】
上記補正手段は、上記投影面に投影される上記撮影画像の大きさに従って画像補正を行うことを特徴とする請求項４に記載のカメラシステム。
【請求項７】
上記補正手段は、上記画像印刷時の用紙の大きさに応じて上記撮影画像の画像補正を行うことを特徴とする請求項６に記載のカメラシステム。
【請求項８】
上記撮影画像が上記用紙の大きさより大きい場合には警告を行う警告手段を更に具備することを特徴とする請求項７に記載のカメラシステム。
【請求項９】
上記画像印刷時の用紙の大きさに応じて上記撮影画像の印刷時のレイアウトを決定する決定手段を更に具備することを特徴とする請求項６に記載のカメラシステム。
【請求項１０】
上記撮影画像が上記用紙の大きさより大きい場合には警告を行う警告手段を更に具備することを特徴とする請求項９に記載のカメラシステム。
【請求項１１】
上記投影面までの距離に従って、上記画像印刷時の画面のサイズ及び印刷時のレイアウト状態の少なくとも一方を切り替える切り替え手段を更に具備することを特徴とする請求項７に記載のカメラシステム。
【請求項１２】
上記撮影画像に対応した画像データを記憶する記憶手段を更に具備し、
上記表示手段は、上記記憶手段に記憶された画像データに対応した画像を上記投影面に表示することを特徴とする請求項４に記載のカメラシステム。
【発明の詳細な説明】
【技術分野】
【０００１】
この発明はカメラシステムに関し、例えばデジタルカメラ等で撮影された画像を適切な仕様にてプリントアウトするためのシステムに関するものである。
【背景技術】
【０００２】
従来より、写真の再生方法として種々の方法が提案されており、撮影した画像の再生方法としては、古くから印画紙等へのプリント出力が行われている。また、ディスプレイ上での再生に加えて、いわゆるプロジェクタによって画像を壁面に投射して鑑賞する方法が公知である。
【０００３】
そして、上述したプリント出力を行う方法として、例えば、ネットワークに接続されたプリンタを効果的に制御するための技術（例えば、特許文献１参照）や、プリント枚数の制御を行うための技術が知られている（例えば、特許文献２参照）。
【特許文献１】特開２００３−１５８３０号公報
【特許文献２】特開平１１−３５５７０４号公報
【発明の開示】
【発明が解決しようとする課題】
【０００４】
上述した特許文献１や特許文献２に記載の技術は、表示画像を適切な枚数でプリントアウトすることを目的としたものであった。しかしながら、これら特許文献１及び特許文献２に記載の技術では、画像の大きさまでを簡単に制御できるものではなく、またユーザの所望する色や詳細部を正しく再現することは困難なものであった。
【０００５】
したがってこの発明は、表示された画像を見ながら、ユーザの所望とする画像の指定した部分の色や詳細部を正しく再現することのできるカメラシステムを提供することを目的とする。
【課題を解決するための手段】
【０００６】
すなわち請求項１に記載の発明は、撮影画像を記憶するメモリと、上記メモリに記憶された撮影画像を表示する投影式の表示手段と、上記表示手段の投影状態の検出結果に従って、上記撮影画像印刷時の画像補正を行う補正手段と、を具備することを特徴とする。
【０００７】
請求項２に記載の発明は、請求項１に記載の発明に於いて、上記表示手段の投影状態は、投影面までの距離であることを特徴とする。
【０００８】
請求項３に記載の発明は、請求項２に記載の発明に於いて、上記投影面までの距離に従って、上記画像印刷時の画面のサイズ及び印刷時のレイアウト状態の少なくとも一方を切り替え制御する制御手段を更に具備することを特徴とする。
【０００９】
請求項４に記載の発明は、撮影画像を投影面に表示する投影式の表示手段と、上記表示手段の投影状態に基づいて、上記撮影画像の印刷時の画像補正を行う補正手段と、を具備することを特徴とする。
【００１０】
請求項５に記載の発明は、請求項４に記載の発明に於いて、記表示手段の投影状態は、上記投影面までの距離に従って変化することを特徴とする。
【００１１】
請求項６に記載の発明は、請求項４に記載の発明に於いて、上記補正手段は、上記投影面に投影される上記撮影画像の大きさに従って画像補正を行うことを特徴とする。
【００１２】
請求項７に記載の発明は、請求項６に記載の発明に於いて、上記補正手段は、上記画像印刷時の用紙の大きさに応じて上記撮影画像の画像補正を行うことを特徴とする。
【００１３】
請求項８に記載の発明は、請求項７に記載の発明に於いて、上記撮影画像が上記用紙の大きさより大きい場合には警告を行う警告手段を更に具備することを特徴とする。
【００１４】
請求項９に記載の発明は、請求項６に記載の発明に於いて、上記画像印刷時の用紙の大きさに応じて上記撮影画像の印刷時のレイアウトを決定する決定手段を更に具備することを特徴とする。
【００１５】
請求項１０に記載の発明は、請求項９に記載の発明に於いて、上記撮影画像が上記用紙の大きさより大きい場合には警告を行う警告手段を更に具備することを特徴とする。
【００１６】
請求項１１に記載の発明は、請求項７に記載の発明に於いて、上記投影面までの距離に従って、上記画像印刷時の画面のサイズ及び印刷時のレイアウト状態の少なくとも一方を切り替える切り替え手段を更に具備することを特徴とする。
【００１７】
請求項１２に記載の発明は、請求項４に記載の発明に於いて、上記撮影画像に対応した画像データを記憶する記憶手段を更に具備し、上記表示手段は、上記記憶手段に記憶された画像データに対応した画像を上記投影面に表示することを特徴とする。
【００１８】
この発明は、画像再生装置として、プロジェクタを有し、プロジェクタの特徴である、画面サイズを容易に変更できる機能を利用して、ユーザが求める画像のイメージを簡単に表示表現して、ユーザの好みの画像プリントを得られるようにしている。
【００１９】
プロジェクタは投射距離化によって機器の大きさの制約なく、表示の拡大縮小が容易にできるので、多くのメンバーがそれを見て確認しながら、好みの画質の画像を印刷することができる。
【発明の効果】
【００２０】
この発明によれば、表示された画像を見ながら、ユーザの所望とする画像の指定した部分の色や詳細部を正しく再現することのできるカメラシステムを提供することができる。
【発明を実施するための最良の形態】
【００２１】
以下、図面を参照してこの発明の実施形態を説明する。
【００２２】
図１は、この発明の一実施形態に係るカメラシステムの基本構成を示すブロック図である。
【００２３】
図１に於いて、制御部１はこのカメラシステム全体の制御を司る制御手段であり、補正手段、或いは切り替え手段、決定手段としての機能も有している。この制御部１には、記憶手段である画像メモリ２と、表示手段である表示部４が接続された表示制御部３と、距離算出部５と、撮影部６と、操作スイッチ（ＳＷ）７と、プリンタ８とが接続されている。
【００２４】
撮影部６によって撮影された画像は、画像メモリ２に記憶される。この画像メモリ２に記憶された画像データは、プリンタ８によってプリントアウトされる。このとき、制御部１にて、ユーザが操作する操作スイッチ７や表示部４に表示される表示結果に従って、画質制御がなされる。
【００２５】
上記表示制御部３は、上記画像メモリ２に記憶された画像を表示部４に表示されるべく所定の処理を施すためのものである。距離算出部５は、詳細を後述するように、例えば、被写体に対して赤外光を投射し、その反射光によって距離を算出するものである。
【００２６】
撮影部６は、例えばカメラ等で構成されるもので、この撮影部６で撮影された画像は、上述した画像メモリ２に記憶されるようになっている。また、操作スイッチ７は、ユーザによるレリーズ操作を行うためのスイッチを始め、色補正機能用のスイッチ等、各種のスイッチにより構成されている。更に、プリンタ８は、画像メモリ２に記憶されている画像を所定の用紙に出力するための出力機器である。
【００２７】
図２は、上述したカメラシステムの表示部４と距離算出部５及びその周辺部の構成を示すブロック図である。
【００２８】
図２に於いて、距離算出部５は、制御部１からの指示に従って投光素子である赤外発光ダイオード（ＩＲＥＤ）１２を発光させるための投光回路１１と、赤外発光ダイオード１２と、投光レンズ１３と、受光レンズ１６と、光位置検出素子（ＰＳＤ）１７と、この光位置検出素子１７で受光された光位置を判定するための位置判定回路１８とにより構成されている。
【００２９】
また、表示部４は、例えばプロジェクタが想定されるもので、投影レンズ２１と、画像形成部２２と、投影ランプ２３とを有して構成されている。尚、投影ランプ２３は、光源制御部２４によって、点灯、消灯や明るさの制御がなされる。更に、画像形成部２２は、液晶やデジタルミラーデバイス等で構成されるもので、画像メモリ２に記録された画像データに従って、上記表示制御部３により各画素の明るさや色の制御がなされる。
【００３０】
このような構成に於いて、図２に示されるように、表示部４の投影画像サイズＷ2 は、該表示部４から壁面１５までの距離Ｌが遠くなるほど大きくなる。この関係は、画像形成部２２のサイズＷ1 との間に、下記（１）式の関係を成立させる。  
Ｗ2 ＝（Ｌ／ｆT ）・Ｗ1                                       …（１）  
ここでｆT は投影レンズ２１の焦点距離である。
【００３１】
このように、投影画像サイズＷ2 は、距離Ｌによって変化するので、投影壁面１５までの距離Ｌを測定する距離算出部５を設けることによって、制御部１は投影画像の大きさを判定することができる。投影レンズ２１がズームレンズの場合は、ｆT が検出可能にしておく。また、画像メモリ２に記録されて表示やプリントがなされる画像は、撮影部６によって撮影可能な構成にしておいても良い。
【００３２】
距離算出部５は、赤外発光ダイオード１２を用いて、壁面１５に赤外光を投射し、その反射光によって距離Ｌを求める、いわゆる光投射式の三角測距方式を用いれば、パターンや陰影のない壁面に対しても距離検出が可能となる。つまり、赤外発光ダイオード１２を投光回路１１を介して発光制御すると、投光レンズ１３によって赤外光が壁面５に対して集光投光される。そして、壁面１５から反射された信号光が、受光レンズ１６を介して光位置検出素子１７上に入射する。この入射位置ｘは、上記距離Ｌによって変化する２つのレンズ１３、１６の主点間距離を基線長Ｂとして、受光レンズ１６の焦点距離をｆJ とすると、下記（２）式のような関係で距離Ｌが求められる。  
Ｌ＝Ｂ・ｆJ ／ｘ                                              …（２）
光位置検出素子１７は、光入射位置ｘに依存した２つの電流信号を出力するので、これらを利用して、位置判定回路１８がｘに依存した信号を出力する。
【００３３】
制御部１は、上記（２）式に従って距離Ｌを算出し、更に上記（１）式によって、投影された画像のサイズＷ2 を算出することができる。このようにして得られたＷ2 に基づいてプリント出力を行えば、ユーザが見たとおりの大きさの写真を得ることができる。
【００３４】
図３は、カメラシステムの使用例を示した図である。
【００３５】
図３に於いて、画像メモリやプロジェクタである表示部４は、カメラ３０内に内蔵されている。このカメラ３０は、ケーブル等により机３１上に載置されたプリンタ８と接続されている。ユーザ３２の操作により、机３１の上に投影された画像と同じ大きさ（Ｗ2 ）に印刷された画像が、プリンタ８によって出力される。
【００３６】
次に、図４のフローチャートを参照して、本実施形態に於けるカメラシステムのプリント動作について説明する。尚、このプリント動作は、制御部１が制御するプログラムに従って行われる。
【００３７】
つまり、図３に示されるような状況に於いて、先ずステップＳ１でユーザ３２によりカメラ３０が操作されたか否かが判定される。ここで、カメラ３０が操作されたならば、後述するプリントモードにすることができる。
【００３８】
ステップＳ２では、表示される画像が選択される。ここで画像が選択されると、続くステップＳ３にて、距離算出部５によって、カメラ３０から投影壁面（ここでは机３１）までの距離Ｌが算出される。この距離Ｌの算出方法は、上述したとおりである。尚、この距離Ｌの算出結果によって、投影レンズ２１のピント合わせが行われて、オートフォーカスが行われるようにしても良い。
【００３９】
この後、ステップＳ５にて、表示部４が制御されてプロジェクタの投影表示制御が開始されて、机３１上に画像が表示される。
【００４０】
次いで、ステップＳ６に於いて、プリントモードが否かが判定される。この状態でプリントアウトの操作がなされると、ステップＳ７へ移行して、上述した測距結果Ｌから、上記（１）式が用いられて、画面サイズＷ2 が算出される。そして、ユーザ３２が投影画像を見ながら、画像処理の有無が判定される。
【００４１】
ここで、ステップＳ８にて、例えば画像処理のうち色強調の有無が判定されるものとする。その結果、色強調が行われる場合はステップＳ９へ移行し、色強調が行われない場合はステップＳ９スキップしてステップＳ１０へ移行する。色強調処理が行われる場合は、ステップＳ９にて、カメラ３０の操作スイッチ７のうち、図示されない補正機能用スイッチの操作に応じて、プリント時の色強調処理が実行される。
【００４２】
ステップＳ１０では、プリンタ８の用紙のサイズＷ0 の情報が制御部１に入力されるべく、該用紙サイズＷ0 と上記画面サイズＷ2 とが比較される。ここで、画面サイズＷ2 の方が小さい場合はステップＳ１３へ移行する。
【００４３】
一方、用紙サイズＷ0 の方が画面サイズＷ2 よりも小さい場合には、ステップＳ１１へ移行してＷ0 が制限値とされる。次いで、ステップＳ１２にて警告が発せられる。これは、上記ステップＳ５にてユーザ３２の操作により表示された画像の大きさよりも、プリントアウト用の画像が小さくなる旨を告知するためである。これによってユーザ３２がプリンタ８の限界を越えた画像サイズの設定を行わないようにすることができる。
【００４４】
この警告は、表示部４により投影画像に重畳した文字表示でも良いし、或いはブサ等の発音手段を設けて警告音を発生するようにしても良い。
【００４５】
そして、ステップＳ１３にて、プリンタに、Ｗ2 のサイズのプリントがなされるための信号が送られ、それに基づいてプリント用紙３５に対して印刷が開始される。これにより、サイズＷ2 の大きさに合わせて画像が用紙３５にプリントアウトされる。
【００４６】
これに対し、上記ステップＳ６にてプリントアウト操作がなされない場合には、ステップＳ１４へ移行する。本実施の形態では、このカメラ３０の操作スイッチ７を操作しながら、プロジェクタ投影画像を補正することができるようになっている。
【００４７】
ステップＳ１４では、画像の補正の有無、この場合、色強調を行うか否かが判定される。その結果、例えば風景で夕陽の色を強調したり、夜景でネオンの色を強調したい場合には、ステップＳ１５へ移行してその旨の操作が行われる。これによって、所定の画像処理が行われ、表示に反映されるようになっている。一方、色強調が行われない場合は、ステップＳ１５をスキップしてステップＳ１６へ移行する。
【００４８】
ステップＳ１６では、画像切り替えの有無が判定される。これは、現在表示されている画像と異なる画像を見たりプリントしたりする際に、その旨の操作が判定されるわけである。そして、この判定は、ユーザ３２によるカメラ３０の操作スイッチ７の操作の検出により行われる。その結果、異なる画像に切り替え流場合は、上記ステップＳ２へ移行して画像選択が可能となる。一方、切り替える画像が無い場合は、ステップＳ１７へ移行する。
【００４９】
ステップＳ１７では、本ルーチンを終了するか否かが判定される。プロジェクタの投影表示には、光源のエネルギー等を考慮する必要があるりので、ここで終了操作、または所定時間の経過等により、ルーチン終了か否かが判定される。まだ、継続して操作を行う場合は上記ステップＳ３へ移行する。一方、終了する場合は、ステップＳ１８へ移行して、光源がオフにされる等、表示終了制御が行われる。
【００５０】
こうして、本ルーチンが終了する。
【００５１】
以上説明したように、本実施形態によれば、機器自体の大きさを越えて表示制御が可能である。また、表示の大きさの自由度の大きいプロジェクタ方式の表示手段を有効に利用することにより、ユーザの所望するプリントの大きさを自由に設定可能なカメラシステムを提供することができる。
【００５２】
また、画像のプリントが小さくても構わない場合には、カメラ３０と投影画像との距離を近付ければ、例えば、図５（ａ）に示されるようなプリントから、図５（ｂ）、（ｃ）に示されるように、１枚の用紙に２つ以上の画像を印刷することができるような切り替えを行うことも可能である。
【００５３】
この場合、例えば、図６に示されるフローチャートに従って制御が行われる。
【００５４】
すなわち、この画面切り替えのルーチンに入ると、先ずステップＳ２１に於いて、投影画像までの距離が判定される。その結果、近距離である、すなわち１枚のプリント用紙に２画像以上収まるように画面サイズＷ2 が小さいと判定された場合は、ステップＳ２２へ移行する。このステップＳ２２では、例えば、１枚の用紙３５に２つの画像が印刷されるべく、並列表示の処理がなされる。次いで、ステップＳ２３にて、図５（ｂ）に示されるように、２つの画像が１枚の用紙３５に並列に配置されて印刷される。
【００５５】
一方、上記ステップＳ２１にて、近距離でない、すなわち１枚のプリント用紙に２画像以上は収まらないと判定された場合は、ステップＳ２４へ移行する。そして、ステップＳ２４では、投影画像として１つの画像が表示される。次いで、ステップＳ２５にて、図５（ａ）に示されるように、１枚の用紙３５に１つの画像が印刷される。
【００５６】
このように、画面切り替え制御が行われることにより、複数の画像を１枚の用紙に印刷することが可能になる。
【００５７】
尚、図６のフローチャートでは、複数の画像を２つの画像として説明しているが、これに限られるものではない。すなわち、画面サイズＷ2 の大きさに応じて画像を配置するようにすれば、例えば図５（ｃ）に示されるように、４つの画像を同時に印刷することも可能であるし、またそれ以上の複数の画像を１枚の用紙に印刷することも容易に実現することができる。
【００５８】
以上、この発明の実施形態について説明したが、この発明の主旨を逸脱しない範囲で変形可能であることはもちろんである。
【図面の簡単な説明】
【００５９】
【図１】この発明の一実施形態に係るカメラシステムの基本構成を示すブロック図である。
【図２】図１のカメラシステムの表示部４と距離算出部５及びその周辺部の構成を示すブロック図である。
【図３】この発明のカメラシステムの使用例を示した図である。
【図４】この発明の一実施形態に於けるカメラシステムのプリント動作について説明するフローチャートである。
【図５】１枚の用紙３５に印刷される画像の例を示した図である。
【図６】画面切り替えの動作を説明するフローチャートである。
【符号の説明】
【００６０】
１…制御部、２…画像メモリ、３…表示制御部、４…表示部、５…距離算出部、６…撮影部、７…操作スイッチ（ＳＷ）、８…プリンタ、１１…投光回路、１２…赤外発光ダイオード（ＩＲＥＤ）、１３…投光レンズ、１５…壁面、１６…受光レンズ、１７…光位置検出素子（ＰＳＤ）、１８…位置判定回路、２１…投影レンズ、２２…画像形成部、２３…投影ランプ、２４…光源制御部、３０…カメラ、３１…机、３２…ユーザ。
【図１】
2005184302.tif 000003
【図２】
2005184302.tif 000004
【図３】
2005184302.tif 000005
【図４】
2005184302.tif 000006
【図５】
2005184302.tif 000007
【図６】
2005184302.tif 000008